(57)【要約】  的確な量の液体を計量及び分配する計量器システムは、基部と少なくとも１つの壁部とを含む第１計量器を備え、前記壁部は、前記基部から上方に延びることにより内部腔を区画し、前記内部腔は、２つ以上の分割腔に分割されるとともに、その頂部において開口する。
2009543077.tif 000002
【特許請求の範囲】
【請求項１】
的確な量の流体を計量及び分配する計量器システムにおいて、
基部と１つ以上の壁部とを含む第１計量器を備え、
前記壁部は、前記基部から上方に延びることにより内部腔を区画し、
前記内部腔は、２つ以上の分割腔に分割されるとともに、その頂部において開口する計量器システム。
【請求項２】
請求項１に記載の計量器システムにおいて、
前記基部は、前記第１計量器が取外し可能に第２計量器に取付けられることを許容する取付け具を備える計量器システム
【請求項３】
請求項２に記載の計量器システムにおいて、
前記第１計量器と前記第２計量器との間に、延長ハンドルが配置される計量器システム。
【請求項４】
請求項３に記載の計量器システムにおいて、
前記延長ハンドルは、３つ以上の計量器に取外し可能に取付けられる計量器システム。
【請求項５】
請求項１〜４のいずれか一項に記載の計量器システムにおいて、
前記第１計量器は、３つ以上の分割された内部分割腔を備える計量器システム。
【請求項６】
請求項２〜５のいずれか一項に記載の計量器システムにおいて、
前記第１計量器及び前記第２計量器は、３つ以上の分割された内部分割腔を備える計量器システム。
【請求項７】
請求項１〜６のいずれか一項に記載の計量器システムにおいて、
前記分割腔は、特定、且つ異なる量の液体を計量及び保持するように設計される計量器システム。
【発明の詳細な説明】
【技術分野】
【０００１】
本発明は、流体を計量及び分配する計量器、特にアルコール飲料を計量及び分配する計量器に関する。
【背景技術】
【０００２】
バー、レストランと自宅とのどちらにおいても、正確な量のアルコールを的確、且つ容易に計量及び分配、又は他の容器に移すために、計量器又は度量器具が用いられる。数種のアルコールを用いて混合物が作られてミックスドリンク又はカクテルが作られる際に、上述の計量器が特に重要である。この場合は通常、ミックスドリンクを作る際に要求される少量又は多量のアルコールを的確に計量及び分配するためには、互いに異なる複数の計量装置が必要となる。
【０００３】
種々の正確な量のアルコールを計量及び分配する容易な方法を提供することが重要である。アルコールの不的確な計量と移し換えとに起因して、ミックスドリンクとカクテルとのアルコール割合が不正確になり、こうしたアルコール割合の不正確さにより、ドリンクの味に悪い影響を与えることのみならず、消費者に対して危険を生ずる可能性もある。
【発明の概要】
【０００４】
的確な量の流体を計量及び分配する計量器システムが開示され、この計量器システムは、基部と１つ以上の壁部とを含む第１計量器を備え、前記壁部は、前記基部から上方に延びることにより内部腔を区画し、前記内部腔は、２つ以上の分割腔に分割されるとともに、その頂部において開口している。
【０００５】
１つの形態では、前記基部は、前記第１計量器が取外し可能に第２計量器に取付けられることを許容する取付け具を備える。
１つの形態では、前記第１計量器と前記第２計量器との間に、延長ハンドルがこれら計量器にそれぞれ取付け具により配置される。
【０００６】
１つの形態では、前記延長ハンドルは、３つ以上の計量器に取外し可能に取付けられる。
１つの形態では、前記第１計量器は、３つ以上の分割された内部分割腔を備える。
【０００７】
１つの形態では、前記第１計量器及び前記第２計量器は、それぞれ３つ以上の分割された内部分割腔を備える。
【図面の簡単な説明】
【０００８】
【図１】第１の計量器システムの上面斜視図。
【図２】図１における計量器システムの底面斜視図。
【図３】図１における計量器システムの平面図。
【図４】図１における計量器システムの底面図。
【図５】図１における計量器システムの側面図。
【図６】第２の計量器システムの側面図。
【図７】図６における計量器システムの上面斜視図。
【図８】第１計量器の取付け具を示す拡大図。
【図９】第２の計量器システムの取付け具の拡大図。
【図１０】計量器システムの別の形態の分解底面斜視図。
【発明を実施するための形態】
【０００９】
これら図面に、正確な体積の液体を計量及び分配するための計量器システム１が示されている。計量器システム１の第１計量器１１は、基部２と１つ以上の壁部３とを備えており、壁部３は、内部腔４を区画するように設計されている。この内部腔４は、内部壁５により複数の分割腔６に分割されている。各分割腔６は、的確な特定量の液体を保持するように設計されている。各分割腔６により保持される液体の体積は、他の分割腔とは異なるが、これら分割腔６により保持される液体の量は等しくなってもよい。第１計量器１１は、その頂部において開口しており、これにより、使用者が分割腔６からグラス又は他の容器に液体を注ぐことができる。
【００１０】
内部壁５は、基部２から上方に延びて各分割腔６を隔離している。
計量器１１の縁部７は、内部腔４の頂部の周りに延びており、液体を容易に注出可能に形成されている。この縁部７は、三角形、丸みを帯びた三角形、菱形、正方形、長方形又は凧形のいずれかに形成される。これら分割腔６は、各分割腔６が先細の注出縁部８を有するように配置されている。注出縁部８により、液体を任意の分割腔６からこぼすことなく分配することが可能となる。
【００１１】
図８及び図９に示されるように、基部２は取付け具１０を更に備えており、この取付け具１０は、第１計量器１１が他の物品に取付け可能になるように形成されている。取付け具１０は、差込みピン又はねじ係合部材や、抵抗嵌合又は他の取付けシステムを含むことができる。図１０に示されるように、取付け具１０により、第２計量器２１が計量器１に取付けられることが可能である。第２計量器２１は、分割腔を有しない１つの内部腔を備えることができる。また、第２計量器２１は、第１計量器１１と異なる大きさを有することが可能である。
【００１２】
なお、第２計量器２１は、内部が２つ以上の分割腔に分割された計量器からなることも可能である。
１つの形態では、それら分割腔は、５ｍＬと６０ｍＬとの間の複数の体積の液体の組合せを保持するように設計されている。例えば、１つの計量器が５ｍＬ、１０ｍＬ、及び１５ｍＬ、総計３０ｍＬの液体を保持するように設計されることが可能である。別の計量器が５ｍＬ、１０ｍＬ、２５ｍＬ及び５０ｍＬの液体を保持するように設計されることが可能である。一部の市場のために、計量器が２ｏｚ、３／４ｏｚ、１／２ｏｚ、１／４ｏｚ及び１／８ｏｚの液体を保持するように設計されてもよい。特定の区域における使用のため、計量器は、多数の分割腔を有するように設計される。体積を示す数字が各分割腔に成形、接着又は結合されることも可能である。
【００１３】
上述の計量器システムが飲料を混合するために使用される際、それら計量器１、２１の組合せにより、使用者は、種類の異なるアルコール、又は量の異なるアルコールを簡単に切替えることができる。更に、各計量器は、異なる区域の異なる制度又は法定基準の要求を満たすように、容易に交換、又は他の計量器装置に連結されることができる。
【００１４】
取付け具及びハンドルにより結合された３つ、４つ又は任意整数個の計量器の結合体が実施可能であることを認めることができる。
図１１に示されるように、第１計量器１１における取付け具１０は、更にハンドル１２を第１計量器１１に取付けるために使用することができる。ハンドル１２は、第２計量器３１が同ハンドル１２に取付けられることを許容するハンドル取付け具（図示しない）を含む。これら第１計量器１１、第２計量器３１及びハンドル１２の結合体により、使用者が計量器の容積及びアルコールの種類を容易に切替えることができる。また、同結合体により、使用者が液体を計量及び分配する際に計量器システム１を容易に保持することができる。
【００１５】
上述の計量器システム１は、プラスチック、金属又は他の成形可能な材料、或いはこれらの組合せにより構成される。
上述した内容及び以下の請求項において、明確な言葉又は必要な含蓄表現により文脈が他の解釈を要求する場合を除いて、「構成」という言葉及びその語尾変化は、「含む」という意味であり、即ち、特徴部分の存在を示す意味であり、種々の実施形態における他の特徴部分の存在又は追加を排除する意味ではない。
【００１６】
上述したシステム及び以下の請求項の内容において限定されるシステムについて、変形又は変更を行うことができる。
【図１】
2009543077.tif 000003
【図２】
2009543077.tif 000004
【図３】
2009543077.tif 000005
【図４】
2009543077.tif 000006
【図５】
2009543077.tif 000007
【図６】
2009543077.tif 000008
【図７】
2009543077.tif 000009
【図８】
2009543077.tif 000010
【図９】
2009543077.tif 000011
【図１０】
2009543077.tif 000012
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
的確な量の流体を計量及び分配する計量器システムにおいて、
基部と１つ以上の壁部とを含む第１計量器を備え、
前記壁部は、前記基部から上方に延びることにより内部腔を区画し、
前記内部腔は、２つ以上の分割腔に分割されるとともに、その頂部において開口し、
各前記分割腔は、所定量の流体を的確に計量するように設計される計量器システム。
【請求項２】
請求項１に記載の計量器システムにおいて、
前記基部は、前記第１計量器が取外し可能に第２計量器に取付けられることを許容する取付け具を備える計量器システム
【請求項３】
請求項２に記載の計量器システムにおいて、
前記第１計量器と前記第２計量器との間に、延長ハンドルが配置される計量器システム。
【請求項４】
請求項３に記載の計量器システムにおいて、
前記延長ハンドルは、３つ以上の計量器に取外し可能に取付けられる計量器システム。
【請求項５】
請求項１〜４のいずれか一項に記載の計量器システムにおいて、
前記第１計量器は、３つ以上の分割された内部分割腔を備える計量器システム。
【請求項６】
請求項２〜５のいずれか一項に記載の計量器システムにおいて、
前記第１計量器及び前記第２計量器は、３つ以上の分割された内部分割腔を備える計量器システム。
【請求項７】
請求項１〜６のいずれか一項に記載の計量器システムにおいて、
前記分割腔は、特定、且つ異なる量の液体を計量及び保持するように設計される計量器システム。
【手続補正２】
【補正対象書類名】明細書
【補正対象項目名】０００４
【補正方法】変更
【補正の内容】
【０００４】
的確な量の流体を計量及び分配する計量器システムが開示され、この計量器システムは、基部と１つ以上の壁部とを含む第１計量器を備え、前記壁部は、前記基部から上方に延びることにより内部腔を区画し、前記内部腔は、２つ以上の分割腔に分割されるとともに、その頂部において開口し、各前記分割腔は、所定量の流体を的確に計量するように設計される。
【国際調査報告】
2009543077.tif 000013
2009543077.tif 000014
2009543077.tif 000015